(57)【要約】【課題】不織布オイルフィルターの特別な設置場所を必要とせず、設計自由度を向上させて、耐久性及び濾過性能を向上させることのできるバルブボディー一体型の不織布タイプのオイルフィルターを提供する。【解決手段】本発明によるバルブボディー一体型不織布タイプのオイルフィルターは、（１）バルブボディーの開放側に装着され、オイルが流出入する第１オイルホールが備えられた第１カバー部材と、（２）第１カバー部材に結合され、第２オイルホールが備えられた第２カバー部材と、（３）第１カバー部材と第２カバー部材との間の空間部に装着されて、バルブボディーから流入するオイルをフィルタリングする不織布オイルフィルターとを含んで構成される。【選択図】図５
2005083574.tif 000002
【特許請求の範囲】
【請求項１】
バルブボディーの開放側に装着され、オイルが流出入する第１オイルホールが備えられた第１カバー部材と、
前記第１カバー部材に結合され、第２オイルホールが備えられた第２カバー部材と、
前記第１カバー部材と前記第２カバー部材との間に空間部が設けられ、前記空間部に装着されて、前記バルブボディーから流入するオイルをフィルタリングする不織布オイルフィルターとを含むことを特徴とする、バルブボディー一体型不織布タイプのオイルフィルター。
【請求項２】
前記第１カバー部材の幅方向に複数個の前記第１オイルホールが備えられることを特徴とする、請求項１に記載のバルブボディー一体型不織布タイプのオイルフィルター。
【請求項３】
前記第１カバー部材と前記バルブボディーとの間には、ガスケットが装着されて、前記オイルが漏油するのを防止することを特徴とする、請求項１に記載のバルブボディー一体型不織布タイプのオイルフィルター。
【請求項４】
前記第１カバー部材と前記第２カバー部材とは、前記バルブボディーにボルト締結されることを特徴とする、請求項１に記載のバルブボディー一体型不織布タイプのオイルフィルター。
【請求項５】
前記第１カバー部材の幅方向に複数個の前記第１オイルホールが備えられ、
前記第１カバー部材と前記バルブボディーとの間には、ガスケットが装着されて、前記オイルが漏油するのを防止し、
前記第１カバー部材と前記第２カバー部材とは、前記バルブボディーにボルト締結されることを特徴とする、請求項１に記載のバルブボディー一体型不織布タイプのオイルフィルター。
【発明の詳細な説明】
【技術分野】
【０００１】
本発明はバルブボディー一体型不織布タイプのオイルフィルターに係り、より詳しくは、不織布オイルフィルターの設置における設計の自由度が向上し、耐久性及び濾過性能を向上させるためのバルブボディー一体型不織布タイプのオイルフィルターに関する。
【背景技術】
【０００２】
一般に、自動変速機及び無段変速機用のオイルフィルターは、耐久性及び濾過性能に優れている不織布を不織布タイプのフィルターとして使用し、バルブボディーとは独立した構造としている。
図１は、不織布タイプのフィルターを概略的に示した図面である。図２は、図１の不織布タイプのフィルターを、バルブボディーへ装着した様子を概略的に示した図面である。
図１及び図２に示すように、従来の不織布タイプのオイルフィルター１は、バルブボディー３の一側に設けられた連結部５に合わせて、不織布タイプのフィルター１が装着される。このような不織布タイプのオイルフィルター１は、オイルホール７が形成されたカバー部材９の内部に、不織布２が長さ方向に装着されている。オイルは矢印のように図面下側から入って上側に出る。
【０００３】
このような構成を有する不織布タイプのオイルフィルター１は、濾過性能及び耐久性に優れているという長所があるが、バルブボディー３と不織布タイプのオイルフィルター１とが離隔して装着されるので、設置のための空間を要するという問題点がある。
【０００４】
図３はメッシュタイプのオイルフィルターを概略的に示した図面である。図４はバルブボディーとメッシュタイプのオイルフィルターとの装着を概略的に示した図面である。
【０００５】
図３及び図４に示すように、従来のメッシュタイプのオイルフィルター４は、バルブボディー６の開放された一側に密着して装着される構造である。このようなメッシュタイプのオイルフィルター４は、スチール材質の網状からなり、前記バルブボディー６の開放側に装着される。
このようなメッシュタイプのオイルフィルター４の構造は、バルブボディー６との間に空間が形成されないため、前記不織布タイプのオイルフィルター１の設置空間を確保しなくてはならないとの制約を解消する。
【０００６】
ところが、無段変速機は、自動変速機より約２〜４倍の高い圧力を使用するため、より高いオイルの清浄度が要求され、前記メッシュタイプのオイルフィルターを無段変速機に使用する場合、耐久性及び濾過性能が不足して不純物を濾過することになるため、別の位置にフィルターを追加する補完対策が必要になるとの問題点がある。
【特許文献１】特開２０００−３３２０７号公報
【発明の開示】
【発明が解決しようとする課題】
【０００７】
本発明は前記のような問題点を解決するために創出されたものであって、本発明の目的は、不織布オイルフィルターの特別な設置空間を必要とせず、設計自由度を向上させて、また、耐久性及び濾過性能を向上させることのできるバルブボディー一体型不織布タイプのオイルフィルターを提供することにある。
【課題を解決するための手段】
【０００８】
前記目的を達成するため、本発明によるバルブボディー一体型不織布タイプのオイルフィルターは、バルブボディーの開放側に装着され、オイルが流出入する第１オイルホールが備えられた第１カバー部材と、前記第１カバー部材に結合され、第２オイルホールが備えられた第２カバー部材と、前記第１カバー部材と前記第２カバー部材との間に空間部が設けられ、前記空間部に装着されて、前記バルブボディーから流入するオイルをフィルタリングする不織布オイルフィルターとを含むことを特徴とする。
【０００９】
前記第１カバー部材の幅方向に複数個の前記第１オイルホールが備えられることが好ましい。
【００１０】
前記第１カバー部材と前記バルブボディーとの間にはガスケットが装着されて、前記オイルが漏油するのを防止することが好ましい。
【００１１】
前記第１カバー部材と前記第２カバー部材とは、前記バルブボディーにボルト締結されることが好ましい。
【００１２】
本発明によるバルブボディー一体型不織布タイプのオイルフィルターは、第１カバー部材の幅方向に複数個の前記第１オイルホールが備えられ、前記第１カバー部材と前記バルブボディーとの間にはガスケットが装着され、前記第１カバー部材と前記第２カバー部材とが前記バルブボディーにボルト締結されていることが好ましい。
【発明の効果】
【００１３】
前記のような本発明によるバルブボディー一体型不織布タイプのオイルフィルターは、バルブボディーの開放側に第１および第２カバー部材が装着され、その内部に不織布オイルフィルターを備えてオイルのフィルタリングを実施することによって、濾過性能及び耐久性を向上させることができる。
【００１４】
また、バルブボディーと一体型にオイルフィルターを装着する構造によって、不織布オイルフィルターの特別な設置空間を必要とせず、設計自由度を向上させることができる。
【発明を実施するための最良の形態】
【００１５】
以下、本発明の好ましい実施例によるバルブボディー一体型不織布タイプのオイルフィルターを、添付した図面を参照して詳細に説明する。なお、本実施例は、本発明の開示をより完全なものとし、その技術的範囲を明らかにするために提供するものである。
【実施例】
【００１６】
図５は本発明の好ましい実施例によるバルブボディー一体型不織布タイプのオイルフィルターを概略的に示した平面図である。図６は図５の背面図であり、図７は図５のＡ−Ａ線の断面図であり、図８は図５のオイルフィルターのバルブボディーへの装着を概略的に示した図面である。以下、図５〜図８を参照して説明する。
【００１７】
図８に示すように、本発明によるバルブボディー一体型不織布タイプのオイルフィルター１００は、バルブボディー１１の開放側に密着して装着される。
本発明によるバルブボディー一体型不織布タイプのオイルフィルター１００は、図６に示すオイルが流出入する第１オイルホール１３が備えられた第１カバー部材１０と、図５に示す第１カバー部材１０に結合され、第２オイルホール２３が備えられた第２カバー部材２０と、図７に示すように、第１カバー部材１０と第２カバー部材２０と間に装着されて、バルブボディー１１から流入するオイルをフィルタリングする不織布オイルフィルター３０とを備える。
【００１８】
第１カバー部材１０は、バルブボディー１１の開放側に装着されて、好ましくはボルト締結される。バルブボディー１１は、一側が開放されて、本発明のバルブボディー一体型不織布タイプのオイルフィルター１００が装着される。
第１カバー部材１０には、オイルが流出入する第１オイルホール１３が備えられる。第１オイルホール１３は、第１カバー部材１０の幅方向に複数個（一例として３個）が備えられており、バルブボディー１１からオイルが流出入する。そして、第１カバー部材１０には第２カバー部材２０が結合される。
【００１９】
第２カバー部材２０は、第１カバー部材１０に結合され、第１および第２カバー部材１０、２０の各々にはボルト締結孔２１が形成されて、共にバルブボディー１１にボルト締結される。
第２カバー部材２０にはオイルが流出入する第２オイルホール２３が備えられる。第２オイルホールは、１個が備えられる。第１カバー部材１０と第２カバー部材２０との間には空間部が設けられる。この空間部には不織布オイルフィルター３０が装着される。
【００２０】
不織布オイルフィルター３０は、バルブボディー１１の開放側に流出入するオイルをフィルタリングする。不織布オイルフィルター３０は、フィルタリング中にその体積が大きくなり、第１カバー部材１０と第２カバー部材２０との間の空間部は、不織布オイルフィルター３０がフィルタリング中に体積が大きくなるのに備える空間である。これにより、不織布オイルフィルター３０は、第１カバー部材１０と第２カバー部材２０との間に挿入されて装着され、バルブボディー１１の開放側に密着して装着されるので、設置空間の制約をあまり受けずに濾過性能及び耐久性を向上させることができる。第１カバー部材１０とバルブボディー１１との間には、オイルが漏油する防止するガスケット２５がある。
【００２１】
以上、図面を参照して本発明の実施例について説明した。しかし、本発明はこれに限定されるものではない。本発明が属する技術分野における通常の知識を有する者によって、その技術的範囲内での変更または他の実施例が可能である。
【産業上の利用可能性】
【００２２】
本発明は、車両の自動変速のオイルフィルターに適用することができる。
【図面の簡単な説明】
【００２３】
【図１】一般の不織布タイプのフィルターを概略的に示した図面である。
【図２】図１の不織布タイプフィルターのバルブボディーへの装着を概略的に示した図面である。
【図３】一般のメッシュタイプのオイルフィルターを概略的に示した図面である。
【図４】一般のバルブボディーとメッシュタイプのオイルフィルターとの装着を概略的に示した図面である。
【図５】本発明の好ましい実施例によるバルブボディー一体型不織布タイプのオイルフィルターを概略的に示した平面図である。
【図６】図５の背面図である。
【図７】図５のＡ−Ａ線の断面図である。
【図８】図５のオイルフィルターのバルブボディーへの装着を概略的に示した図面である。
【符号の説明】
【００２４】
１    不織布タイプのオイルフィルター
２    不織布
３、６、１１    バルブボディー
４    メッシュタイプのオイルフィルター
５    連結部
７    オイルホール
９    カバー部材
１０    第１カバー部材
１３    第１オイルホール
２０    第２カバー部材
２１    ボルト締結孔
２３    第２オイルホール
３０    不織布オイルフィルター
１００    バルブボディー一体型不織布タイプのオイルフィルター
【図１】
2005083574.tif 000003
【図２】
2005083574.tif 000004
【図３】
2005083574.tif 000005
【図４】
2005083574.tif 000006
【図５】
2005083574.tif 000007
【図６】
2005083574.tif 000008
【図７】
2005083574.tif 000009
【図８】
2005083574.tif 000010